(57)【特許請求の範囲】
【請求項１】
底フレームとなる矩形のスキッドと、スキッドの対向する短辺および長辺に着脱自在に連結される一対の短辺フレームと一対の長辺フレームからなる組立・分解自在なリターナブルケースにおいて、
前記スキッドは、矩形の枠体の下面に所望間隔で脚材を、上面に一定間隔で複数の滑材を設け、枠体の四隅に隣接する前記短辺フレームと前記長辺フレームの下端部を着脱自在に連結するコーナー部材を設けて形成され、
前記短辺フレームと長辺フレームは、上辺フレーム材の両端又は両端近傍に垂直にコーナー支柱を連結し、上辺フレーム材の中間部又は中間部近傍に垂直に補強支柱を連結し、短辺フレームと長辺フレームの上角部を互いに着脱自在に連結する連結手段を設けて形成され、
前記短辺フレームと長辺フレームを取り外して前記スキッド上に倒し、それぞれの上辺フレーム材が互いに反対側に離れるように向けて組合せたときに、それぞれのコーナー支柱と補強支柱が、交差しないでほぼ平行で同一高さに互いに相手側のコーナー支柱と補強支柱の間に嵌合されるように構成したことを特徴とするリターナブルケース。
【請求項２】
前記枠体の両短辺に前記短辺フレームのコーナー支柱及び補強支柱の下端部がそれぞれ差込連結される３個の第１の差込連結部材を設け、前記短辺フレームの補強支柱の下端部が短辺フレームの両コーナー支柱の下端部より長く形成され、前記枠体の両長辺に所望高さのリブ片を設けると共にこのリブ片の中間部近傍に前記長辺フレームの補強支柱の下端部が差込連結される第２の差込連結部材を設けてなることを特徴とする請求項１に記載のリターナブルケース。
【請求項３】
前記枠体の四隅に設けたコーナー部材は、前記長辺フレームのコーナー支柱の下端部をボルト連結するためのボルト孔と、前記リブ片に溶接するための溶接用孔と溶接しろとを有していることを特徴とする請求項１又は２に記載のリターナブルケース。
【発明の詳細な説明】
【０００１】
【産業上の利用分野】
この発明は、品物を収納して保管や輸送に用いられる、組立・分解自在なリターナブルケースに関するものである。
【０００２】
【従来の技術】
従来のリターナブルケースは、例えば本出願人が先に出願した特開平６−３１２７４０号公報、特開平６−３１２７４１号公報、特開平７−２７７３３０号公報、特開平７−２７７３３１号公報に開示されているようなものがある。
これらのリターナブルケースは、底フレームとなる矩形のスキッドと、スキッドの対向する短辺に着脱自在に連結される２枚の短辺フレームと、スキッドの対向する長辺に着脱自在に連結される２枚の長辺フレームとで構成され、このリターナブルケースを分解して保管や輸送するときには、スキッドの上に２枚の短辺フレームを倒して重ならない状態で載置し、その上に２枚の長辺フレームが重なるように積み重ね、これら２枚の短辺フレームと２枚の長辺フレームとを重ねた高さが、スキッドの四隅に設けた、隣接する短辺フレームと長辺フレームのコーナー支柱の下端部を連結するコーナー部材の高さ以内に収まり、このように積み重ねたものが、段積みできるようになっていた。
【０００３】
【発明が解決しようとする課題】
前記従来例のようなリターナブルケースにおいては、それを分解して、スキッドを形成する枠体の上に２枚の短辺フレームによる１層と２枚の長辺フレームによる２層の合計３層に積み重なるので、その積み重ね高さが比較的高くなり、このように積み重ねたものは、例えば、所定の大きさのコンテナに１６段しか段積み収納することができなかった。
この発明は、上述したような課題を解決するためになされたもので、分解した収納状態の高さを可能な限り低くして、収納状態で所定の大きさのコンテナに段積み可能な数を大幅に増加させ、しかも剛性のある組立・分解自在なリターナブルケースを提供することを目的とするものである。
【０００４】
【課題を解決するための手段】
この発明は、前記目的を達成するため、底フレームとなる矩形のスキッドと、スキッドの対向する短辺および長辺に着脱自在に連結される一対の短辺フレームと一対の長辺フレームからなる組立・分解自在なリターナブルケースにおいて、前記スキッドは、矩形の枠体の下面に所望間隔で脚材を、上面に一定間隔で複数の滑材を設け、枠体の四隅に隣接する前記短辺フレームと前記長辺フレームの下端部を着脱自在に連結するコーナー部材を設けて形成され、前記短辺フレームと長辺フレームは、上辺フレーム材の両端又は両端近傍に垂直にコーナー支柱を連結し、上辺フレーム材の中間部又は中間部近傍に垂直に補強支柱を連結し、短辺フレームと長辺フレームの上角部を互いに着脱自在に連結する連結手段を設けて形成され、前記短辺フレームと長辺フレームを取り外して前記スキッド上に倒し、それぞれの上辺フレーム材が互いに反対側に離れるように向けて組合せたときに、それぞれのコーナー支柱と補強支柱が、交差しないでほぼ平行で同一高さに互いに相手側のコーナー支柱と補強支柱の間に嵌合されるように構成したことを特徴とするリターナブルケースとした。
【０００５】
また、前記枠体の両短辺に前記短辺フレームのコーナー支柱及び補強支柱の下端部がそれぞれ差込連結される３個の第１の差込連結部材を設け、前記短辺フレームの補強支柱の下端部が短辺フレームの両コーナー支柱の下端部より長く形成され、前記枠体の両長辺に所望高さのリブ片を設けると共にこのリブ片の中間部近傍に前記長辺フレームの補強支柱の下端部が差込連結される第２の差込連結部材を設けてなることを特徴とするリターナブルケースとした。
また、前記枠体の四隅に設けたコーナー部材は、前記長辺フレームのコーナー支柱の下端部をボルト連結するためのボルト孔と、前記リブ片に溶接するための溶接用孔と溶接しろとを有していることを特徴とするリターナブルケースとした。
【０００６】
【発明の実施の形態】
以下、この発明のリターナブルケースの実施の形態を図面に基づいて詳細に説明する。
図１はリターナブルケースの組立途中（または分解途中）の斜面図、図２はリターナブルケースを分解してスキッドの上に２枚の短辺フレームと２枚の長辺フレームとを折り畳んだものを積み重ねた状態を示す斜視図、図３は底フレームとなるスキッドの平面図、図４は図３のＡ−Ａ線における断面図、図５はスキッドの上に長辺フレームを積み重ねた平面図、図６は図５のＢ−Ｂ線における断面図、図７は前記長辺フレームに短辺フレームをこれらの上辺フレーム材を互いに離れるように向け、これらコーナー支柱と補強支柱が交差しないでほぼ平行で同一高さに互いに相手側のコーナー支柱と補強支柱の間に嵌合させて組合せた平面図、図８は図７のＣ−Ｃ線における断面図、図９は嵌合させて組合せた長辺フレームと短辺フレームの上に他の長辺フレームを積み重ねた平面図、図１０は図９のＤ−Ｄ線における断面図、図１１は前記他の長辺フレームに他の短辺フレームをこれらの上辺フレーム材を互いに離れるように向け、これらコーナー支柱と補強支柱が交差しないでほぼ平行で同一高さに互いに相手側のコーナー支柱と補強支柱の間に嵌合させて組合せた平面図、図１２は図１１のＥ−Ｅ線における断面図、図１３はこの嵌合させて組合せた長辺フレームと短辺フレームの上に補強アームを積み重ねた平面図、図１４は図１３のＦ−Ｆ線における断面図である。
【０００７】
図１において、１は底フレームとなるスキッド、２はこのスキッドを形成する正方形に近い矩形の枠体、３，３は枠体２の対向する短辺２ａ，２ａに着脱自在に連結する一対の短辺フレーム、４，４は枠体２の対向する長辺２ｂ，２ｂに着脱自在に連結する一対の長辺フレーム、５は一対の長辺フレーム４，４の上部に着脱自在に横架される補強アームである。
【０００８】
また、図３及び図４に示すように、枠体２の対向する短辺２ａ，２ａとなる位置に脚材２ｃ，２ｃを配設し、この脚材２ｃ，２ｃの間に他の脚材２ｃ′を配設し、この脚材２ｃ′と前記両脚材２ｃ，２ｃの間にフォークリフトの爪が入るようになっている。この脚材２ｃ，２ｃ′，２ｃの両端の上面に対向する長辺２ｂ，２ｂとなる所望高さのリブ片２ｈ，２ｈを設け、この両リブ片２ｈ，２ｈの中間部近傍に、後述する長辺フレーム４の補強支柱４ｃの下端部４ｃ-1が差し込まれる支持部材７が設けられている。
【０００９】
また、両脚材２ｃ，２ｃの所定間隔の位置に後述する短辺フレーム３のコーナー支柱３ｂ，３ｂと補強支柱３ｃの下端部が差し込まれる支持部材８，８，８が設けられ、脚材２ｃ，２ｃ′，２ｃの上面には複数の滑材２ｄが一定間隔を置いて並設されている。更に、枠体２の四隅には、後述する長辺フレーム４のコーナー支柱４ｂの下端部が着脱自在に連結される所定高さのコーナー部材１０が設けられている。
【００１０】
また、図１に示すように、短辺フレーム３は、上辺フレーム材３ａと、その両端近傍に垂直に連結されたコーナー支柱３ｂ，３ｂと、上辺フレーム材３ａの中間部に垂直に連結された補強支柱３ｃと、コーナー支柱３ｂ，３ｂの下端部間及びコーナー支柱３ｂ，３ｂの下端部と上辺フレーム材３ａの中間部との間に設けられた薄板の補強用トラス３ｆ，３ｆ，３ｆとで主に形成されている。
そして、上辺フレーム材３ａの両端下部には、後述する長辺フレーム４のコーナー支柱４ｂの上端部と着脱自在に連結される連結片３ｄ，３ｄが設けられ、上辺フレーム材３ａの両端上面で、この連結片３ｄの上方部位には、積み重ねられるリターナブルケースの下面の凹部に嵌合する突起１１が突設されている。
【００１１】
また、長辺フレーム４は、上辺フレーム材４ａと、その両端に垂直に連結したコーナー支柱４ｂ，４ｂと、上辺フレーム材４ａの中央から偏芯した位置に垂直に連結した補強支柱４ｃと、コーナー支柱４ｂ，４ｂの下端部の内側間及びコーナー支柱４ｂ，４ｂの下端部の内側と上辺フレーム材４ａの両端の内側との間に交差するように設けた薄板の補強用トラス４ｆ，４ｆ，４ｆとで主に形成されている。前記一対の長辺フレーム４，４の補強支柱４ｃ，４ｃは、それぞれの上辺フレーム材４ａの中央より同一方向に偏芯している。
【００１２】
そして、コーナー支柱４ｂ，４ｂの上端部には、前記短辺フレーム３の上辺フレーム材３ａの両端の連結片３ｄと連結する連結部材１２，１２が設けられ、コーナー支柱４ｂ，４ｂの下端部にはコーナー部材１０，１０と連結するための連結部４ｄ，４ｄが設けられ、更に、上辺フレーム材４ａ両端部とコーナー支柱４ｂ，４ｂの上端部との隅には補強板４ｅ，４ｅが設けられ、この補強板４ｅ，４ｅを介して前記交差する補強用トラス４ｆ，４ｆの一端が溶接されている。
なお、前記補強用トラス３ｆ，４ｆは板状としたが、これに限らず、図２０（ａ）に示すようなパイプ２０を図２０（ｂ）に示すように偏平に潰して形成してもよい。このパイプを偏平に潰して形成した補強用トラスは、剛性が増すと共に、角が生じないので、短辺フレーム３と長辺フレーム４を取り扱う時に角で怪我することがなくなる。
【００１３】
また、補強アーム５は、図１８（ａ）に詳細に示すように、その両端に垂直に上辺フレーム材４ａの中間部に嵌合する逆凹状の係合片５ａが設けられ、この係合片５ａの外側の左右に孔５ｂ，５ｂが穿設されている。このように、左右に孔５ｂ，５ｂが穿設されているのは、補強アーム５がどちら向きでも、上辺フレーム材４ａとこれに垂直に設けた補強支柱４ｃとの隅に設けた補強板４ｇに突設した突起１３と前記いずれかの孔５ｂが合致して嵌合し得るためである。更に、係合片５ａの上端には凹溝５ｃが刻設され、この凹溝５ｃには前記枠体２の脚材２ｃ′が嵌合可能で、組立てられたリターナブルケースをがたつくことなく安定して積載することができる。
また、図１８（ｂ）は前記補強アーム５の端に設けた係合片５ａを長辺フレーム４の上辺フレーム材４ａに嵌合した状態の斜視図である。
【００１４】
また、図１９（ａ）に示すように、前記補強板４ｇに突設した突起１３に代えてネジ孔１４を設け、図１９（ｂ）に示すように、前記係合片５ａを長辺フレーム４の上辺フレーム材４ａに嵌合して、前記いずれかの孔５ｂに挿入したボルト１６を前記ネジ孔１４に締着して固定することもできる。
【００１５】
また、図１５は、前記枠体２の短辺２ａとなる脚材２ｃの所定間隔の位置に設けた、短辺フレーム３のコーナー支柱３ｂと補強支柱３ｃの下端部が差し込まれて支持される支持部材８を詳細に示した斜視図であり、Ｌ字状に形成された水平片８ａが脚材２ｃの上面に溶接され、水平片８ａと垂直片８ｂとの角部にコーナー支柱３ｂまたは補強支柱３ｃの下端に設けた差込片３ｂ-1または３ｃ-1が差し込まれて支持される差込孔８ｃが穿設されている。
また、この短辺フレーム３の補強支柱３ｃの差込片３ｃ-1はコーナー支柱３ｂ，３ｂの差込片３ｂ-1，３ｂ-1より長く形成されており、これにより組立時に中央の差込片３ｃ-1を差し込むだけで容易に短辺フレーム３の位置決めをすることができる。
【００１６】
また、図１６は、枠体２の四隅に設けた、長辺フレーム４のコーナー支柱４ｂの下端部が着脱自在に連結される所定高さのコーナー部材１０を詳細に示した斜視図であり、このコーナー部材１０はアングル板で形成され、その一方の片１０ａにボルト挿入孔１０ｂと前記リブ片２ｈへの溶接作業を容易とするための溶接用孔１０ｃが穿設され、他方の片１０ｄにリブ片２ｈの端部との接合部（溶接しろ）１０ｅが形成されている。このコーナー部材１０の接合部（溶接しろ）１０ｅにより、コーナー部材１０のリブ片２ｈに対する溶接強度が高められ、強固に溶接される。
【００１７】
また、図１７は前記長辺フレーム４のコーナー支柱４ｂの上端部に設けた連結部材１２と短辺フレーム３の上辺フレーム材３ａの両端の連結片３ｄとの連結状態を詳細に示した斜視図であり、連結部材１２の一部に内方への折曲部１２ａが形成され、この折曲部１２ａに穿設したボルト挿入孔に挿入したボルト１６を前記連結片３ｄに設けたボルト孔に締着して、長辺フレーム４のコーナー支柱４ｂの上端部と短辺フレーム３の上辺フレーム材３ａの端部とを連結するようになっている。更に、短辺フレーム３の連結片３ｄにはクリップナットの回り止めを防止するためにボルト孔の周部に図示せぬ切り込みが施されている
【００１８】
このように、連結部材１２の一部に内方への折曲部１２ａを形成し、この折曲部１２ａをボルト１６で締着するようにしたので、ボルト１６の頭部がリターナブルケースの外面から突出するのを緩和することができる。
また、短辺フレーム３の上辺フレーム材３ａの端部上面に突設された突起１１は、折り畳んだ時に短辺フレーム３の高さ（厚み）を押さえるため、突起の形状が半円形状となっている。
【００１９】
このリターナブルケースを分解して保管や輸送する際に、その構成部材である２枚の短辺フレーム３，３と２枚の長辺フレーム４，４を積み重ねるときには、先ず、対向した２枚の長辺フレーム４，４の上辺フレーム材４ａ，４ａ間に連結した補強アーム５を取り外す。そして、２枚の長辺フレーム４，４の両コーナー支柱４ｂ，４ｂの上端部に設けた連結部材１２，１２と、対向した２枚の短辺フレーム３．３の上辺フレーム材３ａの両端に設けた連結片３ｄ，３ｄとを連結したボルト１６，１６を取り外し（図１７参照）、短辺フレーム３の両コーナー支柱３ｂ，３ｂの差込片３ｂ-1，３ｂ-1と補強支柱３ｃの差込片３ｃ-1を前記対向する短辺２ａとなる脚材２ｃに設けた支持部材８，８，８の差込孔８ｃ，８ｃ，８ｃ（図１５参照）から抜き取って、短辺フレーム３を取り外す。また、長辺フレーム４のコーナー支柱４ｂ，４ｂの下端部の連結部４ｄ，４ｄを枠体２の四隅に設けたコーナー部材１０，１０に締着していたボルト１６，１６を取り外して、長辺フレーム４を取り外す。
【００２０】
次に、図５および図６に示すように、前記スキッド１を形成する矩形の枠体２の上に、一方の長辺フレーム４を上辺フレーム材４ａがリブ片２ｈ側に位置するように載置する。そして、図７および図８に示すように、短辺フレーム３を取り外した状態から９０°回動させ、上辺フレーム材３ａが他方のリブ片２ｈ側に位置するように倒し、長辺フレーム４の上辺フレーム材４ａと短辺フレーム３の上辺フレーム材３ａとが互いに反対側に離れるように向けて、長辺フレーム４のコーナー支柱４ｂ，４ｂと補強支柱４ｃとの間に、短辺フレーム３のコーナー支柱３ｂ，３ｂと補強支柱３ｃが交差しないでほぼ平行で同一高さとなるように嵌合させて載置する。
【００２１】
この際、長辺フレーム４の補強支柱４ｃは中央より偏心した位置に連結されているので、短辺フレーム３の補強支柱３ｃと重なることはなく、また短辺フレーム３のコーナー支柱３ｂ，３ｂは上辺フレーム材３ａの両端より内側の位置に連結されているので、短辺フレーム３のコーナー支柱３ｂ，３ｂは長辺フレーム４のコーナー支柱４ｂ，４ｂと重なることはなく、従って短辺フレーム３と長辺フレーム４は重なることなく嵌合させてスキッド１上に載置させることができる。
【００２２】
そして、前記と同様に、図９および図１０に示すように、嵌合させて組合わせて載置した短辺フレーム３と長辺フレーム４の上に他の長辺フレーム４を上辺フレーム材４ａがリブ片２ｈ側に位置するように載置し、更に、図１１および図１２に示すように、他の短辺フレーム３を取り外した状態から９０°回動させ、上辺フレーム材３ａが他方のリブ片２ｈ側に位置するように倒し、前記載置した長辺フレーム４の上辺フレーム材４ａと他の短辺フレーム３の上辺フレーム材３ａとが互いに反対側に離れるように向けて、長辺フレーム４のコーナー支柱４ｂ，４ｂと補強支柱４ｃとの間に、短辺フレーム３のコーナー支柱３ｂ，３ｂと補強支柱３ｃが交差しないでほぼ平行で同一高さとなるように嵌合させて載置する。
そして、最後に、図１３および図１４に示すように、枠体２の対向する長辺２ｂ，２ｂとなるリブ片２ｈ，２ｈ間に補強アーム５の両端の係合片５ａ，５ａを嵌合する。
【００２３】
このように、分解した一方の短辺フレーム３と一方の長辺フレーム４を、前記のように、上辺フレーム材３ａと上辺フレーム材４ａとが互いに反対側に離れるように向けて、これらのコーナー支柱と補強支柱が、交差しないでほぼ平行で同一高さとなるように、従って重ならないように嵌合させてスキッド１を形成する枠体２の上に載置し、更に、この上に前記同様に嵌合させて組合せて他方の短辺フレーム３と長辺フレーム４を順次積み重ねると、スキッド１上には１枚の短辺フレーム３と長辺フレーム４による１層と、他の１枚の短辺フレーム３と長辺フレーム４による１層との合計２層の積み重ねとなり、２枚の短辺フレーム３，３と２枚の長辺フレーム４，４との積み重ねを低くでき、このようにして分解して積み重ねた収納状態のリターナブルケースを所定の大きさのコンテナに２０段、段積み収納することができる。
【００２４】
また、図２１はこの発明の小型のリターナブルケースＸを、その２倍の長さの大型のリターナブルケースＹの上に２個並べて載置した側面図で、図２２は図２１の２点鎖線で囲んだ部分の拡大斜視図である。脚材２ｃの下面にこの実施の形態において半球状の凹部２ｃ1 が設けられ、この発明の２個の小型のリターナブルケースＸ，Ｘを大型のリターナブルケースＹ上に載置したときに、前記半球状の凹部２ｃ1 が大型のリターナブルケースＹに設けた半球状の突起１８に嵌合して、大型のリターナブルケースＹ上に２個の小型のリターナブルケースＸを安定して載置させることができる。
【００２５】
【発明の効果】
以上説明したように、この発明によれば、リターナブルケースを分解した一方の短辺フレームと一方の長辺フレームは、それぞれの上辺フレーム材が互いに反対側に離れるように向けて嵌合して組合せたときに、それぞれのコーナー支柱と補強支柱が、交差しないでほぼ平行で同一高さに互いに相手側のコーナー支柱と補強支柱の間に嵌合されるので、スキッドの上に嵌合して組合せて載置した一方の短辺フレームと長辺フレームの上に、更に、同様に組合わせた他方の短辺フレームと長辺フレームを載置するので、スキッド上に２層の積み重ねとなり、従来例のようなリターナブルケースに比べて、その積み重ね高さは低くなり、それだけ所定コンテナへの段積み収納量が多くなり、保管および輸送において極めて有利となる。
【００２６】
また、この発明の請求項２に記載のリターナブルケースによれば、枠体の両短辺に短辺フレームのコーナー支柱及び補強支柱の下端部が差込連結される３個の第１の差込連結部材を設け、枠体の両長辺のリブ片の中間部近傍に長辺フレームの補強支柱の下端部が差込連結される第２の差込連結部材を設けたので、組立時のがたつきを防止し、短辺フレームと長辺フレームの剛性を増すことができる。更に、短辺フレームの補強支柱の下端部が短辺フレームの両コーナー支柱の下端部より長く形成されているので、組立時に中央の補強支柱の下端部を差し込むだけで容易に短辺フレームの位置決めをすることができる。
また、この発明の請求項３に記載のリターナブルケースによれば、コーナー部材に溶接用孔と溶接しろを設けたので、溶接用孔により溶接作業が容易となり、溶接しろによりコーナー部材をリブ片に強固に溶接することができる。
【図面の簡単な説明】
【図１】この発明のリターナブルケースの組立途中（または分解途中）の斜面図である。
【図２】この発明のリターナブルケースを分解してスキッドの上に２枚の短辺フレームと２枚の長辺フレームとを折り畳んだものを積み重ねた状態を示す斜視図である。
【図３】この発明のリターナブルケースの底フレームとなるスキッドの平面図である。
【図４】図３のＡ−Ａ線における断面図である。
【図５】この発明のスキッドの上に長辺フレームを積み重ねた平面図である。
【図６】図５のＢ−Ｂ線における断面図である。
【図７】長辺フレームに短辺フレームをこれらの上辺フレーム材を互いに反対側に離れるように向けコーナー支柱と補強支柱が交差しないでほぼ平行で同一高さに互いに相手側のコーナー支柱と補強支柱の間に嵌合させて組合せた平面図である。
【図８】図７のＣ−Ｃ線における断面図である。
【図９】嵌合させて組合せた長辺フレームと短辺フレームの上に他の長辺フレームを積み重ねた平面図である。
【図１０】図９のＤ−Ｄ線における断面図である。
【図１１】他の長辺フレームに他の短辺フレームをこれらの上辺フレーム材を互いに反対側に離れるように向けコーナー支柱と補強支柱が交差しないでほぼ平行で同一高さに互いに相手側のコーナー支柱と補強支柱の間に嵌合させて組合せた平面図である。
【図１２】図１１のＥ−Ｅ線における断面図である。
【図１３】組合せて載置した長辺フレームと短辺フレームの上に補強アームを積み重ねた平面図である。
【図１４】図１３のＦ−Ｆ線における断面図である。
【図１５】短辺フレームのコーナー支柱と補強支柱の下端部が差し込まれて支持される支持部材を詳細に示した斜視図である。
【図１６】スキッドを形成する枠体の四隅に設けた長辺フレームのコーナー支柱の下端部が着脱自在に連結されるコーナー部材を詳細に示した斜視図である。
【図１７】長辺フレームのコーナー支柱の上端部に設けた連結部材と短辺フレームの上辺フレーム材の両端の連結片との連結状態を詳細に示した斜視図である。
【図１８】長辺フレームの上辺フレーム材間に連結する補強アームの一部を詳細に示した斜視図である。
【図１９】長辺フレームの上辺フレーム材間に連結する他の実施の形態の補強アームの一部を詳細に示した斜視図である。
【図２０】他の実施の形態の補強用トラスの説明図である。
【図２１】この発明の小型のリターナブルケースをその２倍の長さの大型のリターナブルケースの上に２個並べて載置した側面図である。
【図２２】この発明の小型のリターナブルケースをその２倍の長さの大型のリターナブルケースの上に２個並べて載置する状態の一部を詳細に示した斜視図である。
【符号の説明】
１      スキッド
２      矩形の枠体
２ａ    短辺
２ｂ    長辺
２ｃ，２ｃ′  脚材
２ｄ    滑材
２ｈ    リブ片
３      短辺フレーム
３ａ    上辺フレーム材
３ｂ    コーナー支柱
３ｂ-1  差込片
３ｃ    補強支柱
３ｃ-1  差込片
３ｄ    連結片
３ｆ    補強用トラス
４      長辺フレーム
４ａ    上辺フレーム材
４ｂ    コーナー支柱
４ｃ    補強支柱
４ｃ-1  差込片
４ｅ    補強板
４ｄ    連結部
４ｆ    補強用トラス
５      補強アーム
５ａ    係合片
５ｂ    孔
５ｃ    凹溝
７      支持部材（第２の差込連結部材）
８      支持部材（第１の差込連結部材）
１０      コーナー部材
１０ｂ    ボルト挿入孔
１０ｃ    溶接用孔
１０ｅ    接合部（溶接しろ）
１１      突起
１２      連結部材
１３      突起
１６      ボルト
【図１】
0003764554.tif 000002
【図２】
0003764554.tif 000003
【図３】
0003764554.tif 000004
【図４】
0003764554.tif 000005
【図５】
0003764554.tif 000006
【図６】
0003764554.tif 000007
【図７】
0003764554.tif 000008
【図８】
0003764554.tif 000009
【図９】
0003764554.tif 000010
【図１０】
0003764554.tif 000011
【図１１】
0003764554.tif 000012
【図１２】
0003764554.tif 000013
【図１３】
0003764554.tif 000014
【図１４】
0003764554.tif 000015
【図１５】
0003764554.tif 000016
【図１６】
0003764554.tif 000017
【図１７】
0003764554.tif 000018
【図１８】
0003764554.tif 000019
【図１９】
0003764554.tif 000020
【図２０】
0003764554.tif 000021
【図２１】
0003764554.tif 000022
【図２２】
0003764554.tif 000023